(57)【特許請求の範囲】
【請求項１】
上部入賞口と、開閉可能な羽根部材を備える下部入賞口とが上下に一体に構成された入賞部と、
前記上部入賞口に入賞する遊技球を流す上部裏樋と、前記下部入賞口に入賞する遊技球を流す下部裏樋とを立体交差構造とし、前記上部裏樋と下部裏樋とを一体に構成した裏樋部と、を備え、
前記上部裏樋と前記下部裏樋の方向が、上流領域から下流領域に向かって横方向から下方向に変更され、かつ、該上部裏樋と該下部裏樋は、下方向を向いた該下流領域において左右に併設される位置関係にあり、
前記裏樋部の背部に、前記羽根部材を駆動するアクチュエータを背負わせた、
ことを特徴とするパチンコ遊技機の始動入賞装置。
【請求項２】
前記羽根部材と前記アクチュエータとを連係するクランクを更に備え、
前記アクチュエータは、ソレノイドにより上下方向に直線的に進退移動するプランジャを備え、
該プランジャは水平方向に配置された板状の作動部を備え、
前記クランクは、左右両側に配置された一対のフレームと、該一対のフレームの両端部から内側に向かい合うように左右方向に水平に配置され自由端を備えた一対の受け部とを備え、
前記作動部と前記受け部が係合することによって、前記プランジャの上下方向の移動が前記クランクに伝達されることを特徴とする、請求項１に記載のパチンコ遊技機の始動入賞装置。
【発明の詳細な説明】
【技術分野】
【０００１】
本発明は、パチンコ遊技機の始動入賞装置、特に、遊技球が入賞可能な入賞口が上下の位置関係で形成されたパチンコ遊技機の始動入賞装置に関する。
【背景技術】
【０００２】
上下の位置関係で入賞口を形成した入賞装置の縦方向の寸法を小さくする目的で、始動入賞装置１は、上部入賞口２を形成した上部裏樋６と、上部入賞口２に入賞したパチンコ球が転動する上部裏樋６と、上部裏樋６の後端部に接続して下方に延在する第２球通路４４と、第２球通路４４に設けられてパチンコ球を検出する第１球検出センサ４７と、上部裏樋６の下方に位置して下部入賞口４を形成した下部裏樋７と、下部入賞口４に入賞したパチンコ球が転動する第３球通路４６と、第３球通路４６に設けられてパチンコ球を検出する第２球検出センサ４８と、下部入賞口４を開閉する羽根部材３と、取着板５０の直ぐ裏側に画成した収容空間５０に、プランジャ５２を前方へ向けた姿勢で配置されたソレノイド５１と、羽根部材３１およびプランジャ５２を接続する第１連繋部材５４とを備える。
【特許文献１】特開２００６−２８０６０９
【発明の開示】
【発明が解決しようとする課題】
【０００３】
ところが、上下の裏樋の構造が別部品であって、収容空間にアクチュエータがあるため、寸法を小さくするのには限界があり、また、部品点数が多くなるという問題がある。
【０００４】
そこで、本発明は、上下に入賞口を設けても、寸法を縮小でき、部品点数の低減ができるパチンコ遊技機の始動入賞装置を提供することを目的とする。
【課題を解決するための手段】
【０００５】
かかる課題を解決した本発明に係るパチンコ遊技機の始動入賞装置の構成は、特許請求の範囲に記載の通りである。即ち、本発明は、上下に配置された上部入賞口と、開閉可能な羽根部材を備える下部入賞口とが一体に構成され、前記上部入賞口に入賞する遊技球を流す上部裏樋と、前記下部入賞口に入賞する遊技球を流す下部裏樋とを立体交差構造とし、前記上部裏樋と下部裏樋とを一体に構成し、前記一体構造の裏樋の背部に、前記羽根部材を駆動するアクチュエータを背負わせた、ことを特徴とするパチンコ遊技機の始動入賞装置である。
【０００６】
本発明の発展形態は、前記上部裏樋と下部裏樋の方向が、上流から下流に向かって横から下方に変更され、かつ、その下方の領域で前記上部裏樋と下部裏樋とが左右に並設される位置関係にあるパチンコ遊技機の始動入賞装置である。
【０００７】
アクチュエータは、ソレノイドと、羽根部材とソレノイドとを連係する左右一対のクランクとを備えることが好ましい。左右一対のクランクは、一体に構成された樋の左右両側に配置されることが好ましい。
【０００８】
前記上部裏樋の方向が、上流から下流に向かってともに水平方向から鉛直方向に変更されることが好ましい。また、立体交差した後の上部裏樋と下部裏樋とが左右に並設される位置関係にあることが好ましい。これにより、奥行きの寸法を小さくすることができる。
【発明の効果】
【０００９】
請求項１の発明によれば、始動入賞装置の寸法を小さくすることができるとともに、部品点数を低減することができる。
【発明を実施するための最良の形態】
【００１０】
以下、本発明の実施の形態に係るパチンコ遊技機の始動入賞装置１について図１〜図７を参照して説明する。
【００１１】
始動入賞装置１は、図１〜図４に示す通り、上部入賞口２と、左右に開閉可能な羽根部材３を備える下部入賞口４とが、上下に一体に構成された入賞部５と、上部入賞口２に入賞する遊技球Ｂを流す上部裏樋６と、下部入賞口４に入賞する遊技球Ｂ´を流す下部裏樋７とを上下の立体交差構造とし、上部裏樋６と下部裏樋７とを一体に構成した裏樋部８を備え、裏樋部８の背部に、羽根部材３を駆動するアクチュエータ９を背負わせたことを特徴とするものである。
【００１２】
また、上部裏樋６の遊技球の通過方向が、最初は横方向ではあるが、下流側で、横方向から垂直下方に変更され、上部裏樋６と下部裏樋７の排出口６３，７３が左右に並設される位置関係にある。さらに、アクチュエータ９と羽根部材３とを連係するクランク１０と、上部裏樋６を流れる遊技球Ｂを検出する上入賞検出センサ１１、下部裏樋７を流れる遊技球Ｂ´を検出する下入賞検出センサ１２を備えている。以下、詳細な構造を説明する。
【００１３】
上部入賞口２は、図３及び図４に示す通り、入賞部５の取着板５０の上部に前方に突出するように受皿状に設けられて、遊技領域（図示略）を流下するパチンコ球Ｂが入賞可能な構造であり、上部裏樋６と連通するものである。入賞口２の中央部には遊技球Ｂを円滑に案内するリブ２０が立設され、後方に向かって傾斜する凹面が形成されている。
【００１４】
羽根部材３は、図３及び図４に示す通り、一対の羽根３０と、一対の羽根３０からそれぞれ裏側に突出するピン３１と、羽根３０の根元に前後方向に貫通する一対の取付孔３２と、羽根３０を防護する前飾り３３と、前飾り３３の裏面に立設され遊技球Ｂを案内する３枚のリブ３４〜３６と、前飾り３３を入賞部５に取り付ける一対の円筒状のネジ部３７と、ネジ部３７の左右に設けた突起３７-２と、前飾り３３の底板の両側に形成され羽根３０の開放時に支持する一対のストッパ３８と、下部入賞口４の左右に離間する位置には、後方へ向けて延在し取付孔３２に挿入される一対の支軸３９と、を備えている。羽根３０は、下部入賞口４を開閉するものである。真中のリブ３５は後方に向かって凹面となるように傾斜している。
【００１５】
羽根３０は、図３及び図４に示す通り、下部入賞口４を挟む左右両側に位置する左右一対の部材であって、互いに左右対称な形状で上方に向かって徐々に薄肉となる所謂フラップ状に形成されている。各羽根３０の下方位置の取付孔３２に支軸３９を挿通することで、羽根３０が揺動可能に前飾り３３の裏面に組付けられている。そして、羽根３０の先端部が、相互に近接する方向および相互に離間する方向へ揺動するようになっている。
【００１６】
羽根３０の上端部を相互に離間させた開放状態では、羽根３０と上部入賞口２の間から下部入賞口４へのパチンコ球Ｂの入賞を許容すると共に、羽根３０の上端部を相互に近接させた閉成状態では、羽根３０の上端部が上部入賞口２の底面の真下に位置するようになって、羽根３０および上部入賞口２により、下部入賞口４へのパチンコ球Ｂの入賞を規制するようになっている。すなわち、実施形態の下部入賞口４は、所謂チューリップ型の入賞口として形成してある。
【００１７】
下部入賞口４は、図３及び図４に示す通り、上部入賞口２の下方の位置に配置され、遊技盤（図示略）に取り付けられる取着板５０の中央部に形成された貫通孔である。遊技領域（図示略）を流下するパチンコ球Ｂ´が入賞可能である。
【００１８】
下部入賞口の左右の位置に、図３及び図４に示す通り、一対のボス５１が取着板５０に前方に突出するように形成され、一対の支軸３９が挿入される。ボス５１の左右外側の位置で、一対の円弧穴５２が取着板５０に形成され、ピン３１が円弧穴５２内で揺動するようになっている。ネジ部３７と付き合わされる孔５３と、突起３７-２（図４参照）が嵌め込まれる孔５３−２とが、ボス５１の下部の位置で取着板５０に形成されている。ネジ部３７と孔５３とにビスが取り付けられる。遊技盤（図示略）に取着するための一対の取付孔５４が形成され、ビスで遊技盤（図示略）に取り付けられる。
【００１９】
図３及び図４に示す通り、取着板５０の裏面から円筒形状の一対のネジ部５５が後方に突出し、裏樋部８を取り付けるようになっている。取着板５０の裏面に、裏樋部８の前部が嵌め込まれる左右一対の案内板５６が立設されている。この案内板５６の上下は組み立てる際に組みつけが容易になるように後方から前方に向かって斜めに上方に傾斜する傾斜面になっている。また下部入賞口４の裏面に遊技球Ｂ´を誘導する誘導板５７が後方に向かって横方向に形成されている。案内板５６の外側の両側にクランク１０をカバーする一対のカバー板５８が立設されている。誘導板５７の下部に上入賞検出センサ１１と下入賞検出センサ１２を設置するためのカバー５９が形成されている。
【００２０】
図５〜図７に示す通り、上部裏樋６は上部入賞口２に連通して、上部入賞口２に入賞したパチンコ球Ｂを遊技盤（図示略）の裏側へ流すものである。上部裏樋６は、図５（ａ）に示す通り、最初は後方向に取着板５０の面に対して鉛直方向に延び出す直線通路６０と、左へ所定角度（図では２２度）で直線状に傾斜する傾斜通路６１と、裏樋部８の後端部で垂直下方に方向が直角に転換されている鉛直通路６２とから構成されている。上部裏樋６は、１個のパチンコ球が通過可能な寸法に設定される。直線通路６０及び傾斜通路６１は、その全長に亘って上方が開口する形状に形成されている。
【００２１】
下部裏樋７は、上部裏樋６の下方に設けられて、通路が上下に隔てられ、下部入賞口４に連通し、下部入賞口４に入賞したパチンコ球Ｂを遊技盤（図示略）の裏側へ流すものである。下部裏樋７は、図５（ｂ）に示す通り、最初は後方向に取着板５０の面に対して鉛直方向に延び出す直線通路７０と、右へ所定角度（図では２２度）で直線状に傾斜する傾斜通路７１とを備えている。上部裏樋６の排出口６３（図５参照）と、下部裏樋７の排出７３（図７参照）は横並びに壁で仕切られて左右に隣接されて配置されている。下部裏樋７は、１個のパチンコ球が通過可能な寸法に設定される。下部裏樋７は、その全長に亘って下方が開口する形状に形成されている。
【００２２】
裏樋部８は、図３〜図７に示す通り、上部裏樋６と下部裏樋７の立体交差構造を実現するため、後方に向かって横幅が拡大する形状である。それらの裏樋６、７を形成するべく、裏樋部８は、左右一対の垂直壁である側壁８０、８１と、側壁８０、８１と直交しそれらを結合する縦方向に配置された後壁８２と、側壁８０、８１と直交しそれらを内側で結合し上下に仕切ることで上部裏樋６と下部裏樋７とを上下に仕切る横方向に配置された横仕切板８３と、を備えている。側壁８０、８１は、それぞれ、後方に向かって左右外側に傾斜する傾斜壁８０ａ、８１ａを備えている。横仕切板８３の上面には上部裏樋６の中央部から上方に突出する誘導板８３ａが経路に沿って形成され、誘導板８３ａは背面後方に向かって高さが低くなるように傾斜している。この誘導板８３ａは、リブ２０とは段差が設けられて不連続となっており、リブ２０の下面よりも誘導板８３ａの上面が低い位置に配置されている。また、その奥には遊技球Ｂが落下するための垂直な立孔８４が形成されている。
【００２３】
図５（ａ）に示す通り、垂直壁で左右方向に傾斜する縦仕切板８５ａが、横仕切板８３の上面から垂直上方に延び出し、傾斜壁８０ａと所定間隔を隔て平行に延び出している。また、図５（ｂ）に示す通り、縦仕切壁８５ｂが、縦仕切壁８５ａと交差部８５ｃ（図７参照）で上下に立体交差する垂直壁であって左右方向に傾斜しながら、横仕切板８３の下面から垂直下方に延び出し、側壁８１ａと所定間隔を隔て平行に延び出している。側壁８０，８１の前部の外側面には、２対の係合部８６が上下に間隔をおいて形成され、それぞれの対向する内側面が正面に向かってその上下の間隔が拡大するように傾斜し、それらが案内板５６の対応する傾斜面に嵌め込まれるようになっている。これにより取付作業が容易になる。傾斜壁８０ａ，８１ａの上部外面に貫通孔を有する一対の取付板８７が左右に延び出すように備えられ、ネジ部５５と嵌合し、ビスで結合するようになっている。
【００２４】
また、図３及び図４に示す通り、側壁８０，８１の後部外面に左右方向に外方に突出する一対の突条８８が形成され、これにクランク１０を係止し、クランク動作の支点を形成している。アクチュエータ９を固定する固定部８９が後壁８２から後方に向かって形成されている。固定部８９の後面から下方垂直に入賞検出センサ１１および１２の押え板８９ａ（図７参照）が形成されている。
【００２５】
以上の通り、裏樋部８は、前記に説明した側壁８０，８１、後壁８２、横仕切り板８３、縦仕切壁８５ａ，８５ｂ、取付板８７が合成樹脂で一体成形により製造されたものであり、上部に上部裏樋６、下部に下部裏樋７が立体交差構造で形成される。これらの部材により、直線通路６０、傾斜通路６１、鉛直通路６２、直線通路７０、傾斜通路７１、排出口６３（図５参照）、排出口７３（図７参照）が形成されることとなる。さらに上裏樋部５（図１参照）の上面は上方に開放された開口、下裏樋部６（図５（ｂ）参照）の下面は下方に開放された開口を備えている。
【００２６】
上記の構成により、図３に示す通り、遊技領域（図示略）を流下するパチンコ球Ｂを上下の位置関係で設けた２つの入賞口２、４に入賞させ、入賞経路の相違する遊技球Ｂ,Ｂ´が一体成形された裏樋部８内を上下の立体交差で通過し得るよう構成される。
【００２７】
アクチュエータ９は、図３及び図４に示す通り、通電制御して磁力を発生するソレノイド９０と、上下方向に直線的に進退移動するプランジャと該プランジャを付勢するべく介装されたバネを下方へ向けた姿勢で配置させソレノイド９０により上下に直線駆動される作動部９１と、を備えている。ソレノイド９０に通電していない状態(非励磁状態)においては、バネの弾性力によりプランジャが常には下方に向けて付勢されて、ソレノイド９０に通電した状態(励磁状態)においては、バネの弾性力に抗してプランジャが上方に移動するようになっている。
【００２８】
クランク１０は、図３及び図４に示す通り、平面視でコ字形状の部材であり、アクチュエータ９の下方に水平方向に配置され、羽根部材３のピン３１と、アクチュエータ９のプランジャとを連係し、プランジャの往復運動を羽根３０の揺動運動に変換するものである。クランク１０は、コ字形状のフレーム１００と、フレーム１００の両端部から内側に向かい合うように左右方向に水平に配置され自由端を備えプランンジャの円板を上から押さえる一対の受け部１０１、１０２と、ピン３１を把持する把持部１０３と、１対の突条８８と嵌合する孔１０４と、裏樋部８の側面壁８０および８１の傾斜壁８０ａおよび８１ａの形状に合わせて前方に向かって左右の間隔が狭くなるように左右に傾斜する傾斜部１０５と、を備えている。
【００２９】
アクチュエータ９の励磁・非励磁によりプランジャが上下移動することで突起８８で支持された孔１０４を支点として、フレーム１００がシーソーのように揺動し、これに伴って羽根３０が開閉するよう構成されている。ここで、アクチュエータ９に通電していない非励磁状態においては、羽根３０が閉成状態に変位し、アクチュエータ９に通電した励磁状態においては、羽根３０が開放状態に変位するよう設定されている。
【００３０】
裏樋部８の底面に、図３及び図４に示す通り、上部入賞口２に入賞したパチンコ球Ｂを検出する上入賞検出センサ１１と、下部入賞口４に入賞したパチンコ球Ｂを検出する下入賞検出センサ１２と、が左右に隣接して水平に配設される。上入賞検出センサ１１および下入賞検出センサ１２は、その長手方向が前後方向に延在する姿勢で通過孔１１１，１２１が後方に横並びで配置され、通過孔１１１が立孔８４（図１（ａ）参照）と合致するように取付けられる。
【００３１】
上部入賞口２および下部入賞口４に入賞したパチンコ球Ｂは、それぞれ、上入賞検出センサ１１および下入賞検出センサ１２で検出された後に排出される。これら検出センサ１１または１２がパチンコ球Ｂを検出することで、特別図柄表示装置（図示略）での特別図柄変動ゲームが開始されると共に、球払出装置（図示略）により賞球を払出すようになっている。ここで、上入賞検出センサ１１がパチンコ球Ｂを検出した場合と、下入賞検出センサ１２がパチンコ球Ｂを検出した場合とでは、球払出装置が払出す賞球数が異なるよう設定されており、例えば、上入賞検出センサ１１がパチンコ球Ｂを検出した場合には３個の賞球が払出され、下入賞検出センサ１２がパチンコ球Ｂを検出した場合には４個の賞球が払出される。すなわち、始動入賞装置１に２つの入賞口２,４と、夫々に対応して球検出センサ１１,１２とを設けることで、異なる賞球数の払出しを行ない得るようにしてある。
【００３２】
さらに、裏樋部８の補強のため、図５に示す通り、上部側にリブ１３、下部側に複数のリブ１４、１５、１６を、例えば、接着剤での接着、あるいは、一体成形等により設けてある。
【００３３】
〔実施形態の動作〕
次に、実施形態に係る始動入賞装置１の動作の一例につき説明する。遊技盤（図示略）の遊技領域（図示略）に打出されたパチンコ球Ｂ,Ｂ´は、遊技盤（図示略）上に設けた遊技釘等に接触して流下方向を変更しながら流下する。
【００３４】
上部入賞口２に遊技球Ｂが入賞すると、上部裏樋６を後方に流れ、傾斜通路６１で左斜め方向に経路を変更された後、経路が水平方向から鉛直方向に変更され、立孔８４に入り下方に落下し、上入賞検出センサ１１の通過孔１１１を通過し、排出口６３から下方に排出される。
【００３５】
下部入賞口４に遊技球Ｂ´が入賞すると、下部裏樋７を後方に流れ、傾斜通路７１で右斜め方向に経路を変更された後、経路が水平方向から鉛直方向に変更され、下入賞検出センサ１２の通過孔１２１を通過し、排出口７３から下方に排出される。
【００３６】
遊技領域（図示略）を流下するパチンコ球が普通始動通過口（図示略）を通過すると、普通図柄表示装置（図示略）において普通図柄変動ゲームが開始される。普通図柄変動ゲームの結果、普通図柄表示装置（図示略）に当り図柄が表示されると、アクチュエータ９が励磁状態となり、プランジャがバネを圧縮することで作動部９１が上方に退避し下方に位置する受け部１０１，１０２が上方に移動し、突条８８を支点として把持部１０３を下方に揺動させ、羽根３０が開放状態になることで、下部入賞口４へのパチンコ球Ｂ´の入賞が許容される状態となる。入賞口４への所定球数の入賞又は所定時間経過により、アクチュエータ９が非励磁状態となり、ソレノイド９０により、バネの復帰力でプランジャが下方に押されることで作動部９１が下方に伸びて受け部１０１，１０２が下方に押し下げられて、突条８８を支点として把持部１０３を上方に揺動させ、羽根３０が閉鎖状態になる。
【００３７】
始動入賞装置１の上部入賞口２または下部入賞口４に入賞すると、特別図柄表示装置（図示略）において所要の特別図柄変動ゲームが開始されると共に、球払出装置により所定数の賞球(上部入賞口２に入賞した場合は３個、下部入賞口４に入賞した場合は４個の賞球)が払い出される。そして、特別図柄変動ゲームの結果、特別図柄表示装置（図示略）に特定の図柄組合わせ(大当り図柄)が表示されると、特別遊技が発生して特別入賞装置（図示略）の開閉扉（図示略）が開放し、パチンコ球の入賞が許容される。
【００３８】
〔実施形態の効果〕
始動入賞装置１は、上部裏樋６と下部裏樋７とを上下に立体交差させ一体に形成した裏樋部８とし、アクチュエータ９のプランジャ５２を上下へ向けた姿勢で裏樋部８の背面に背負わせて配設し、クランク１０を裏樋部８の左右から抱えるように設けることで、スペースの無駄をなくし、左右幅の縦方向の寸法の増大を抑制しつつ、始動入賞装置１の奥行きの寸法を少なくし、部品点数を少なくすることができる。
【００３９】
上部入賞口２に入賞したパチンコ球Ｂを検出する上入賞検出センサ１１と、下部入賞口４に入賞したパチンコ球Ｂ´を検出する下入賞検出センサ１２とを横並びに水平に配置してあるので、交換やメンテナンス作業等の作業を効率良く行なうことができる。
【００４０】
裏樋部８の寸法を小さくしても、上入賞検出センサ１１および下入賞検出センサ１２が相互に干渉することがなく、効率的に配置することが可能となる。
【００４１】
下入賞検出センサ１２を下部裏樋７に臨むよう配置しているから、下部入賞口４に入賞したパチンコ球Ｂ´を素早く検出することができる。下部入賞口４に規定数のパチンコ球Ｂ´が入賞した時点で羽根部材３を閉成することができるから、所定の制御条件に基づいた遊技を行なうことが可能となる。
【００４２】
上部裏樋６をその全長に亘って上方に開口し、下部裏樋７をその全長に亘って下方に開口するよう形成したことで、筒状に形成した場合と較べて、始動入賞装置１の縦方向の大きさをコンパクトにし得る。上部入賞口２に入賞したパチンコ球Ｂは、上部裏樋６から立孔８４から排出するよう構成してあるから、パチンコ球Ｂが上方開口から逸れることはなく、上部入賞口２に入賞したパチンコ球Ｂを確実に移動させて、上入賞検出センサ１１で検出することができる。
【００４３】
上部入賞口２に入賞したパチンコ球Ｂが、下部入賞口４に入賞したパチンコ球Ｂ´と、上下方向に立体交差するように通過するように構成したので、始動入賞装置１における左右の幅寸法をコンパクトにできる。入賞口４に入賞した時点ではパチンコ球Ｂ´の勢いが比較的強くても、このパチンコ球が段差で勢いを調整したり、誘導板５７や誘導板８３ａで円滑に誘導するので、パチンコ球Ｂの転動方向を傾斜壁８０ａ，８１ａで斜め左右方向に変更しても、その転動方向を変更する部位で球詰まりが生じることを防止できる。
【００４４】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。
【００４５】
裏樋部８の形状・構造は、実施形態のものに限定されるものではなく、例えば、傾斜通路６１,７１の傾斜角度は図示に限定されることなく、適宜の範囲で設定でき、また、側壁８０,８１、後壁８２、横仕切板８３等の形状・構造の適宜の範囲で変更できる。
【００４６】
実施形態では、排出口６３，７３を隣接させて横並びの位置で設けたが、これに限らず、前後にずらした位置でもよい。
【００４７】
実施形態では、開閉部材を一対の羽根部材から構成し、羽根部材で下部入賞口を開閉する所謂チューリップ型の始動入賞装置を示したが、これに限定されるものではない。例えば、開閉部材として前後にスライドするシャッター部材を用いて下部入賞口を開閉したり、開閉部材として実施形態の特別入賞装置のような揺動可能な開閉扉、その他の構成を採用することもできる。
【００４８】
実施形態では、開閉部材を作動するリニアアクチュエータとしてソレノイドを採用したが、これに限定されるものではなく、作動部を直線的に動作する構成であれば、従来公知の各種の手段を採用できる。また、開閉部材とリニアアクチュエータの作動部とを接続する連繋手段の形状・構成に関しても、実施形態のものに限られず、所要に応じて変更すればよい。アクチュエータ９は上下に駆動するものではあるが、前後、左右に駆動させる構造でもよい。
【図面の簡単な説明】
【００４９】
【図１】（ａ）本発明実施形態を示す始動入賞装置の平面図、（ｂ）同じく底面図である。
【図２】（ａ）本発明実施形態を示す始動入賞装置の正面図、（ｂ）同じく右側面図である。
【図３】本発明実施形態を示す始動入賞装置の表面側から見た分解斜視図である。
【図４】同じく始動入賞装置の裏面側から見た分解斜視図である。
【図５】（ａ）同じく始動入賞装置の裏樋部の平面図、（ｂ）同じく始動入賞装置の裏樋部の底面図である。
【図６】（ａ）同じく始動入賞装置の裏樋部の正面図、（ｂ）同じく背面図である。
【図７】（ａ）は図６（ａ）におけるＡ-Ａ線断面図、（ｂ）同じく始動入賞装置の右側面図である。
【符号の説明】
【００５０】
１・・・始動入賞装置  ２・・・上部入賞口  ３・・・羽根部材  ４・・・下部入賞口
５・・・入賞部  ６・・・上部裏樋  ７・・・下部裏樋  ８・・・裏樋部
９・・・アクチュエータ  １０・・・クランク  １１・・・上入賞検出センサ
１２・・・下入賞検出センサ  １３〜１６・・・リブ  ５０・・・取着板
Ｂ，Ｂ´・・・パチンコ球  ２０・・・リブ  ３０・・・羽根  ３１・・・ピン
３２・・・取付孔  ３３・・・前飾り  ３４〜３６・・・リブ  ３７・・・ネジ部
３７-２・・・突起  ３８・・・ストッパ  ３９・・・支軸  ５１・・・ボス
５２・・・円弧穴  ５３，５４・・・孔  ５５・・・ネジ部  ５６・・・案内板
５７・・・誘導板  ５８・・・カバー板  ５９・・・カバー  ６０・・・直線通路
６１，７１・・・傾斜通路  ６２・・・鉛直通路  ７０・・・直線通路
６３・・・排出口  ７３・・・排出口  ８０、８１・・・側壁
８２・・・後壁  ８３・・・横仕切板  ８３ａ・・・誘導板
８０ａ，８１ａ・・・傾斜壁  ８４・・・立孔  ８５ａ・・・縦仕切壁
８５ｂ・・・縦仕切壁  ８５ｃ・・・交差部  ８６・・・係合部
８７・・・取付板  ８８・・・突条  ８９・・・固定部  ９０・・・ソレノイド
９１・・・作動部  １００・・・フレーム  １０１、１０２・・・受け部
１０３・・・把持部  １０４・・・孔  １０５・・・傾斜部
１１１，１２１・・・通過孔  
【図１】
0005184844.tif 000002
【図２】
0005184844.tif 000003
【図３】
0005184844.tif 000004
【図４】
0005184844.tif 000005
【図５】
0005184844.tif 000006
【図６】
0005184844.tif 000007
【図７】
0005184844.tif 000008